(57)【要約】【課題】従来の凍霜害防止方法は、凍霜害防除のための作物周囲に維持すべき設定温度と、作物周辺の温度を基準に、温風機・送風機を適宜コントロールするシステムである。しかし、作物の生育環境と、作物自身が必要とする自然の耐久性等を考慮した方法でなく、有効でない、また過保護な生育で、特性が失われる問題を含んでいる。また温風機を稼動するので、排気ガスの発生による地球環境の破壊等の問題を抱えている。【構成】本発明は、圃場の作物の最も凍霜害を受け易い位置に低所第一・第二センサを設置し、かつ低所第二センサを、防霜ファンからの送風が当る位置に設置した防霜ファンを利用した作物に対する送風方法であって、  低所第一・第二センサで検出した温度に所定の温度差があったとき、圃場に設置した防霜ファンを停止し冷風を止め、作物の冷害を防止する防霜ファンを利用した作物に対する送風方法である。【選択図】図１
2008131871.tif 000002
【特許請求の範囲】
【請求項１】
圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が低いとき、及び／又は、前記高所センサで検出した温度と、前記低所第一センサで検出した温度との温度差があり、高所センサの検出した温度が低いときは、圃場に設置した防霜ファンを停止し、この防霜ファンによる冷風を止め、前記作物の冷害を防止する構成とした防霜ファンの送風及び／又は送風停止を図る送風方法。
【請求項２】
圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が高いとき、及び／又は、前記高所センサで検出した温度と、前記低所第一センサで検出した温度との温度差があり、低所第一センサの検出した温度が低いときは、圃場に設置した防霜ファンを可動し、暖気を送風し、前記作物の凍霜害を防止する構成とした防霜ファンの送風及び／又は送風停止を図る送風方法。
【請求項３】
圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差がないとき、及び／又は、前記高所センサで検出した温度と、前記低所第一センサで検出した温度との温度差がないときは、原則として、凍霜害の虞がないので、この防霜ファンの駆動を止め、その送風を停止し、省エネルギーを確保する構成とした防霜ファンの送風及び／又は送風停止を図る送風方法。
【請求項４】
圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差がないとき、及び／又は、前記高所センサで検出した温度と、前記低所第一センサで検出した温度との温度差があり、高所センサによる検出温度が高いときは、その送風を継続して逆転層の暖気を圃場の作物に向って送風し、防霜を図る構成とした防霜ファンの送風及び／又は送風停止を図る送風方法。
【請求項５】
圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が低いとき、及び前記高所センサで検出した温度と、前記低所第一センサで検出した温度との温度差がないときは、この低所第二センサが故障か、誤動作しているので、この低所第二センサの保守・管理をする構成とした防霜ファンの送風及び／又は送風停止を図る送風方法。
【請求項６】
圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が高いとき、及び前記高所センサで検出した温度と、前記低所第一センサで検出した温度との温度差があり、低所第一センサの検出した温度が低いときは、この低所第一センサが故障か、誤動作しているので、この低所第一センサの保守・管理をする構成とした防霜ファンの送風及び／又は送風停止を図る送風方法。
【請求項７】
請求項１〜請求項６に記載の防霜ファンの送風及び／又は送風停止を図る送風方法において、
この高所センサを複数基とし、この複数基の高所センサ間で、温度差を検出し、検出値に差があるときは、何れかの高所センサが故障か、誤作動しているので、この故障の高所センサの保守・管理をする構成とした防霜ファンの送風及び／又は送風停止を図る送風方法。
【請求項８】
圃場の逆転層に設けた防霜ファンと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が低いときは、圃場に設置した防霜ファンを停止し、この防霜ファンによる冷風を止め、前記作物の冷害を防止する構成とした防霜ファンの送風及び／又は送風停止を図る送風方法。
【請求項９】
請求項１〜請求項７に記載の防霜ファンの送風及び／又は送風停止を図る送風方法において、
この高所センサ、また低所第一・第二センサを、温度センサとする構成とした防霜ファンの送風及び／又は送風停止を図る送風方法。
【発明の詳細な説明】
【技術分野】
【０００１】
周知の如く、果樹園、茶園等の作物を栽培する圃場において、逆転層の暖気を有効利用し、防霜効果（凍霜害防止）が図れる防霜ファンを利用する方法が実用化されている。本発明もこの流れに沿うものであって、例えば、凍霜害を受け易い位置及び／又は状況にある樹冠、葉面、幹及び／又は芽、幼果、果実等（以下、葉面とする）の温度が低くなった場合と、この温度が高くなり、送風が不要となった場合等の如く、必要時に送風し、防霜を図り、又は不必要時に送風を停止し、省資源化と、新芽時における葉ズレの回避を図り、もって、最適な生育環境の確保と、品質の向上等を図ることにある。
この目的を達成するのが、本発明であり、防霜ファンの送風及び／又は送風停止を図る送風方法に関する。
【背景技術】
【０００２】
前述した如く、茶園の防霜方法の代表的な例として、防霜ファンがある。この防霜ファンの利点は、簡易に防霜効果（凍霜害防止）が図れ、また管理の容易化、経済性等で有益性があり、大変に重宝されている。しかし、この防霜ファンによる送風方法においても、依然として、当業者の勘及び／又は経験則を基に、逆転層が発生することを想定し、葉面の温度、又は地上近辺の温度が、例えば、略−６℃〜略１℃となり、凍霜害が発生し易い状況となった際に、圃場の高所で生成された逆転層からの暖気を、防霜ファンの駆動を介して圃場に吹き降ろすことで、凍霜害を防止する（防霜を図る）。
【０００３】
この従来の送風方法では、勘、経験則に頼ることから、錯誤や思わぬ失態で、せっかく育てた作物が被害にあうケースがあり問題視されている。また、この錯誤や思わぬ失態で、暖気でない空気（冷えた空気）を送風した場合には、作物が冷害を受けたり、また収穫量の減少と、品質の劣化とが問題となる。そして、また不必要な暖気を送ることは、エネルギーロスとなり、大変無駄であること、また地球環境にも悪影響を与えること等の問題点があった。
【０００４】
以上の勘、経験則に基づく弊害の解消と、より確実かつ適確な防霜効果を図ること、また必要時に、必要とする送風を図って、効率的な防霜が図れる防霜ファン利用の凍霜害方法の先行文献の一例を挙げると、下記の文献（１）、（２）がある。
【０００５】
この文献（１）は、実用新案登録第３０２１６４６号の「防霜システム」である。この考案は、従来の防霜ファンと燃焼炉（燃焼機能）を併用した構成であって、防霜ファンを、センサを利用して自動制御するとともに、必要時に煙胴より暖気を供給し、この人工的な暖気を葉面に吹き降ろし、圃場全体の温度上昇を介して強霜を防ぐことを意図する。
【０００６】
また文献（２）は、特開平７−１１５８５５号の「凍霜害防除方法とその装置」である。この発明は、凍霜害防除のための作物周囲に維持すべき設定温度（Ｔｌо）と、温風機より高い位置の外気温（Ｔａ）と、作物周辺の温度（Ｔｌ）とを検出し、それぞれの条件下で、作物の生育に適した送風をする構成であって、例えば、条件が、「Ｔｌ≦Ｔｌо」の場合は、温風の吹出しを行い、また条件が、「ＴａとＴｌоの温度差＞３℃」の場合は、温風機の送風機だけを運転し、逆転層の空気を送り、さらに条件が、「１℃≦ＴａとＴｌоの温度差≦３℃」の場合は、送風機の運転と温風機の低燃焼運転との併用運転を行い、そして、また条件が、「ＴａとＴｌоの温度差≦１℃」の場合は、送風機の運転と温風機の高燃焼運転との併用運転を行うこと等の各種の条件に対応する送風を図って、防霜効果と、作物の生育及び／又は品質の向上を図る。
【０００７】
【特許文献１】実用新案登録第３０２１６４６号
【特許文献２】特開平７−１１５８５５号
【発明の開示】
【発明が解決しようとする課題】
【０００８】
前記文献（１）は、必要時に、燃焼炉で生成した暖気を供給する構成であり、燃費の無駄と、エコロジー等の面から問題を残しており、改良の余地がある。そして、昨今の燃料の高騰から早急な解決が要望されること、また燃焼炉の稼働は、経済性の劣化と、耕作費の高騰等から、我国の農業の基盤と、国内農業の衰退を惹起する等の問題もある。さらに国民生活基盤の困窮化を招来する等の状況もあり得ることから、その解決が望まれている。一方、燃焼炉の稼動は、排気ガスの発生による地球環境破壊と、人類生存に問題が発生し、これらの解決が急務と考えられる。
【０００９】
また文献（２）は、凍霜害防除のための作物周囲に維持すべき設定温度（Ｔｌо）と、作物周辺の温度（Ｔｌ）とを基準に、温風機及び／又は送風機を適宜コントロールするシステムである。しかし、このシステムは、作物が寒暖に耐え得る資質と、これに付随した自然条件に基づく条件設定を的確かつ十分に捉えた方法とは考えられず、問題がある。
【００１０】
そして、この問題の一例を挙げると、作物の生育に対して、過保護ともいえる生育条件であるので、例えば、作物の持つ旨味、食感、栄養素等の各種の特性を、十分に発揮できない問題を抱えていると思料される。
【００１１】
さらに、この文献（２）は、温風機を稼動する構造であるので、前述文献（１）と同様に、燃料費の高騰と、この高騰に基づく諸問題と、排気ガスの発生による地球環境破壊等の問題がある。
【００１２】
そして、この文献（１）、（２）において、逆転層に設置したセンサと、地上に設置したセンサとの温度差を検出し、この温度差による防霜ファンの駆動による送風では、センサが誤動作した場合、故障の場合や、このセンサが送風により誤動作した場合（センサに送風された空気及び／又は暖気が当たり、誤動作した場合）等の例では、必要としない暖気及び／又は空気（冷風）を送風することとなる。しかし、暖気の場合にはエネルギーロスとなり、大変無駄であること、また地球環境にも悪影響を与えること、作物に被害を与えること等の問題もある。また冷風の送風では、作物に冷害及び／又は凍害の虞があり、作物の品質の劣化、収穫量の減少化等の取返しのつかない問題が発生すること、また不要な送風によるエネルギーロス等の副次的な問題がある。
【００１３】
上記に鑑み、本発明は、（イ）  少なくとも着霜が発生する際において、燃料を使用せず、自然の暖気を利用した防霜ファンの送風による防霜を図り、また地球環境に優しい逆転層の暖気を有効利用する防霜効果を提供する。そして、（ロ）  外気温度に対し、生育に必要とする自然の耐久性を有効利用することで、この種の作物の真の旨味、食感、栄養素等を確保し、需要者の健康に役立つ有効な作物及び／又はこの需要者が好む高品質、高趣向（高価格のサクランボ、柿、ブドウ、梅、びわ等）の作物の提供を意図する。また（ハ）  防霜ファンの送風が当たらない箇所に設けたセンサにより葉面の温度を検出する構造であり、誤動作を回避し、必要とする条件下（凍霜害の発生する条件下）において、確実かつスムーズに送風することで、凍霜害（着霜害）を防止すること、生育に最適で、かつ葉ズレ防止と、環境に優しい送風を図ること等を意図する。そして、（ニ）  温風機等の燃焼に伴う、騒音等の発生を回避して、最低限での騒音の発生に留めることで、周辺住民の生活に及ぼす騒音問題の解消と、これらのトラブルの解消とを意図する。また（ホ）  防霜ファンの送風が当たらない箇所に設けた低所第一センサと、逆に送風の当たる低所第二センサとを設け、この低所第一センサと低所第二センサとの温度差を検出することで、逆転層の空気の温度を捉えることが可能となるので、例えばその温度差が、低所第一センサが高く、この低所第二センサが低い状態となったときには、防霜ファンの駆動を停止し、逆転層の冷気を誤って送風することがなくなり、作物に対する冷害の回避と、作物の生育環境に適した条件を生成すること、又は環境に優しい送風を図ること等を意図する。また（へ）  この葉面等が軽い凍霜害には、前記（ホ）における温度差を、低所第一センサが低く、また低所第二センサが高い状態となった場合においても、この葉面等に対して、逆転層の暖気及び／又は暖気でない空気の送風動作を継続し、霜による細胞破壊を防止することを意図する。さらに（ト）  それぞれセンサが、故障時及び／又は誤動作時において、このとっさの弊害に係わらず、防霜効果と、無駄な送風を止めること等を意図する。
【課題を解決するための手段】
【００１４】
請求項１〜請求項４の発明は、前述の（イ）〜（へ）の目的を達成するのに最適な逆転層の暖気及び／又は暖気でない空気の送風動作と送風停止であって、防霜ファンの送風及び／又は送風停止を図る送風方法を提供する。
【００１５】
請求項１は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が低いとき、及び／又は、前記高所センサで検出した温度と、前記低所第一センサで検出した温度との温度差があり、高所センサの検出した温度が低いときは、圃場に設置した防霜ファンを停止し、この防霜ファンによる冷風を止め、前記作物の冷害を防止する構成とした防霜ファンの送風及び／又は送風停止を図る送風方法である。
【００１６】
請求項２は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が高いとき、及び／又は、前記高所センサで検出した温度と、前記低所第一センサで検出した温度との温度差があり、低所第一センサの検出した温度が低いときは、圃場に設置した防霜ファンを可動し、暖気を送風し、前記作物の凍霜害を防止する構成とした防霜ファンの送風及び／又は送風停止を図る送風方法である。
【００１７】
請求項３は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差がないとき、及び／又は、前記高所センサで検出した温度と、前記低所第一センサで検出した温度との温度差がないときは、原則として、凍霜害の虞がないので、この防霜ファンの駆動を止め、その送風を停止し、省エネルギーを確保する構成とした防霜ファンの送風及び／又は送風停止を図る送風方法である。
【００１８】
請求項４は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差がないとき、及び／又は、前記高所センサで検出した温度と、前記低所第一センサで検出した温度との温度差があり、高所センサによる検出温度が高いときは、その送風を継続して逆転層の暖気を圃場の作物に向って送風し、防霜を図る構成とした防霜ファンの送風及び／又は送風停止を図る送風方法である。
【００１９】
請求項５の発明は、前述の（イ）〜（へ）の目的を達成する逆転層の暖気の送風動作と送風停止であって、防霜ファンの送風及び／又は送風停止を図る送風方法と、前述の（ト）の低所第二センサの故障並びに誤動作による弊害の解消が図れる防霜ファンの送風及び／又は送風停止を図る送風方法を提供する。
【００２０】
請求項５は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が低いとき、及び前記高所センサで検出した温度と、前記低所第一センサで検出した温度との温度差がないときは、この低所第二センサが故障か、誤動作しているので、この低所第二センサの保守・管理をする構成とした防霜ファンの送風及び／又は送風停止を図る送風方法である。
【００２１】
請求項６の発明は、前述の（イ）〜（へ）の目的を達成する逆転層の暖気の送風動作と送風停止であって、防霜ファンの送風及び／又は送風停止を図る送風方法と、前述の（ト）の低所第一センサの故障並びに誤動作による弊害の解消が図れる防霜ファンの送風及び／又は送風停止を図る送風方法を提供する。
【００２２】
請求項６は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が高いとき、及び前記高所センサで検出した温度と、前記低所第一センサで検出した温度との温度差があり、低所第一センサの検出した温度が低いときは、この低所第一センサが故障か、誤動作しているので、この低所第一センサの保守・管理をする構成とした防霜ファンの送風及び／又は送風停止を図る送風方法である。
【００２３】
請求項７の発明は、前述の（イ）〜（ヘ）の目的を達成するのに最適な逆転層の暖気の送風動作と送風停止であって、防霜ファンの送風及び／又は送風停止を図る送風方法と、前述の（ト）の高所センサの故障並びに誤動作による弊害の解消が図れる防霜ファンの送風及び／又は送風停止を図る送風方法を提供する。
【００２４】
請求項７は、請求項１〜請求項６に記載の防霜ファンの送風及び／又は送風停止を図る送風方法において、
この高所センサを複数基とし、この複数基の高所センサ間で、温度差を検出し、検出値に差があるときは、何れかの高所センサが故障か、誤作動しているので、この故障の高所センサの保守・管理をする構成とした防霜ファンの送風及び／又は送風停止を図る送風方法である。
【００２５】
請求項８の発明は、前述の（イ）〜（へ）の目的を達成するのに最適で、かつ簡易な逆転層の暖気の送風動作と送風停止であって、防霜ファンの送風及び／又は送風停止を図る送風方法を提供する。
【００２６】
請求項８は、圃場の逆転層に設けた防霜ファンと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、この防霜ファンの送風及び／又は送風停止を図る送風方法であって、
この圃場に設置した防霜ファンを利用して送風中に、前記低所第一・第二センサで検出した温度の温度差があり、低所第二センサによる検出温度が低いときは、圃場に設置した防霜ファンを停止し、この防霜ファンによる冷風を止め、前記作物の冷害を防止する構成とした防霜ファンの送風及び／又は送風停止を図る送風方法である。
【００２７】
請求項９の発明は、（チ）  請求項１〜請求項７の目的を達成し、また、この目的を達成するのに最適で、かつ信頼できるセンサを提供する。
【００２８】
請求項９は、請求項１〜請求項７に記載の防霜ファンの送風及び／又は送風停止を図る送風方法において、
この高所センサ、また低所第一・第二センサを、温度センサとする構成とした防霜ファンの送風及び／又は送風停止を図る送風方法である。
【発明の効果】
【００２９】
請求項１の発明は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、防霜ファンの送風及び／又は送風停止を図る送風方法であって、
圃場に設置した防霜ファンを利用して送風中に、低所第一・第二センサで検出した温度の温度差があり、低所第二センサによる検出温度が低いとき、及び／又は、高所センサで検出した温度と、低所第一センサで検出した温度との温度差があり、高所センサの検出した温度が低いときは、圃場に設置した防霜ファンを停止し、防霜ファンによる冷風を止め、作物の冷害を防止する構成とした防霜ファンの送風及び／又は送風停止を図る送風方法である。
【００３０】
請求項２の発明は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、防霜ファンの送風及び／又は送風停止を図る送風方法であって、
圃場に設置した防霜ファンを利用して送風中に、低所第一・第二センサで検出した温度の温度差があり、低所第二センサによる検出温度が高いとき、及び／又は、高所センサで検出した温度と、低所第一センサで検出した温度との温度差があり、低所第一センサの検出した温度が低いときは、圃場に設置した防霜ファンを可動し、暖気を送風し、作物の凍霜害を防止する構成とした防霜ファンの送風及び／又は送風停止を図る送風方法である。
【００３１】
請求項３の発明は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、防霜ファンの送風及び／又は送風停止を図る送風方法であって、
圃場に設置した防霜ファンを利用して送風中に、低所第一・第二センサで検出した温度の温度差がないとき、及び／又は、高所センサで検出した温度と、低所第一センサで検出した温度との温度差がないときは、原則として、凍霜害の虞がないので、防霜ファンの駆動を止め、送風を停止し、省エネルギーを確保する構成とした防霜ファンの送風及び／又は送風停止を図る送風方法である。
【００３２】
請求項４の発明は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、防霜ファンの送風及び／又は送風停止を図る送風方法であって、
圃場に設置した防霜ファンを利用して送風中に、低所第一・第二センサで検出した温度の温度差がないときは、及び／又は、高所センサで検出した温度と、低所第一センサで検出した温度との温度差があり、高所センサによる検出温度が高いときは、送風を継続して逆転層の暖気を圃場の作物に向って送風し、防霜を図る構成とした防霜ファンの送風及び／又は送風停止を図る送風方法である。
【００３３】
従って、請求項１〜請求項４は、下記に示した特徴がある。
【００３４】
（イ）  少なくとも着霜が発生する際において、燃料を使用せず、自然の暖気を利用した防霜ファンの送風による凍霜害防止を図り、また地球環境に優しい逆転層の暖気を有効利用する凍霜害防止効果を提供できる。
【００３５】
（ロ）  外気温度に対し、生育に必要とする自然の耐久性を有効利用することで、この種の作物の真の旨味、食感、栄養素等を確保し、需要者の健康に役立つ有効な作物及び／又はこの需要者が好む作物を提供できる。
【００３６】
（ハ）  防霜ファンの送風が当たらない箇所に設けたセンサにより葉面の温度を検出する構造であり、誤動作を回避し、必要とする条件下（凍霜害の発生する条件下）において、確実かつスムーズに送風することで、凍霜害（着霜害）を防止すること、生育に最適で、かつ葉ズレ防止と、環境に優しい送風とが図れる。
【００３７】
（ニ）  温風機等の燃焼に伴う、騒音等の発生を回避して、最低限での騒音の発生に留めることで、周辺住民の生活に及ぼす騒音問題の解消と、これらのトラブルの解消とが図れる。
【００３８】
（ホ）  防霜ファンの送風が当たらない箇所に設けた低所第一センサと、逆に送風の当たる低所第二センサとを設け、この低所第一センサと低所第二センサとの温度差を検出することで、逆転層の空気の温度を捉えることが可能となるので、例えばその温度差が、低所第一センサが高く、この低所第二センサが低い状態となったときには、防霜ファンの駆動を停止し、逆転層の冷気を誤って送風することがなくなり、作物に対する冷害の回避と、作物の生育環境に適した条件を生成すること、又は環境に優しい送風をすること等が図れる。
【００３９】
（へ）  葉面等が軽い凍霜害には、前記（ホ）における温度差を、低所第一センサが低く、また低所第二センサが高い状態となった場合においても、この葉面等に対して、逆転層の暖気及び／又は暖気でない空気の送風動作を継続し、霜による細胞破壊を防止すること等が図れる。
【００４０】
請求項５の発明は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、防霜ファンの送風及び／又は送風停止を図る送風方法であって、
圃場に設置した防霜ファンを利用して送風中に、低所第一・第二センサで検出した温度の温度差があり、低所第二センサによる検出温度が低いとき、及び高所センサで検出した温度と、低所第一センサで検出した温度との温度差がないときは、低所第二センサが故障か、誤動作しているので、低所第二センサの保守・管理をする構成とした防霜ファンの送風及び／又は送風停止を図る送風方法である。
【００４１】
従って、請求項５は、下記の特徴を有する。
【００４２】
前述の（イ）〜（へ）の目的を達成できる。
【００４３】
また、（ト）  低所第二センサが、故障時及び／又は誤動作時において、このとっさの弊害に係わらず、防霜効果と、無駄な送風を止めること等ができる。
【００４４】
請求項６の発明は、圃場に設けた高所センサと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、防霜ファンの送風及び／又は送風停止を図る送風方法であって、
圃場に設置した防霜ファンを利用して送風中に、低所第一・第二センサで検出した温度の温度差があり、低所第二センサによる検出温度が高いとき、及び高所センサで検出した温度と、低所第一センサで検出した温度との温度差があり、低所第一センサの検出した温度が低いときは、
低所第一センサが故障か、誤動作しているので、低所第一センサの保守・管理をする構成とした防霜ファンの送風及び／又は送風停止を図る送風方法である。
【００４５】
従って、請求項６は、下記の特徴を有する。
【００４６】
前述の（イ）〜（へ）の目的を達成できる。
【００４７】
また、（ト）  低所第一センサが、故障時及び／又は誤動作時において、このとっさの弊害に係わらず、防霜効果を図ること、無駄な送風を止めること等ができる。
【００４８】
請求項７の発明は、請求項１〜請求項６に記載の防霜ファンの送風及び／又は送風停止を図る送風方法において、
高所センサを複数基とし、複数基の高所センサ間で、温度差を検出し、検出値に差があるときは、何れかの高所センサが故障か、誤作動しているので、故障の高所センサの保守・管理をする構成とした防霜ファンの送風及び／又は送風停止を図る送風方法である。
【００４９】
従って、請求項７は、下記の特徴を有する。
【００５０】
前述の（イ）〜（ヘ）の目的を達成できる。
【００５１】
また、（ト）  高所センサが、故障時及び／又は誤動作時において、このとっさの弊害に係わらず、防霜効果を図ること、無駄な送風を止めること等ができる。
【００５２】
請求項８の発明は、圃場の逆転層に設けた防霜ファンと、また圃場の作物の樹冠、葉面、又は幹等の最も凍霜害を受け易い位置に設置した低所第一センサと、さらに圃場の作物の樹冠、葉面、又は幹等の最も凍霜害を受け易い位置で、かつ防霜ファンの送風が当る所定の位置に設置した低所第二センサと、防霜ファンの送風及び／又は送風停止を図る送風方法であって、
圃場に設置した防霜ファンを利用して送風中に、低所第一・第二センサで検出した温度の温度差があり、低所第二センサによる検出温度が低いときは、圃場に設置した防霜ファンを停止し、防霜ファンによる冷風を止め、作物の冷害を防止する構成とした防霜ファンの送風及び／又は送風停止を図る送風方法である。
【００５３】
従って、請求項８は、下記の特徴を有する。
【００５４】
請求項８は、前述の（イ）〜（へ）の目的を達成するのに最適で、かつ簡易な逆転層の暖気の送風動作と送風停止であって、防霜ファンの送風及び／又は送風停止が図れる送風方法を提供できる。
【００５５】
請求項９の発明は、請求項１〜請求項７に記載の防霜ファンの送風及び／又は送風停止を図る送風方法において、
高所センサ、また低所第一・第二センサを、温度センサとする構成としたに記載の防霜ファンの送風及び／又は送風停止を図る送風方法である。
【００５６】
従って、請求項９は、（チ）  請求項１〜請求項７の目的を達成できること、この目的を達成するのに最適で、かつ信頼できるセンサを提供できる。
【発明を実施するための最良の形態】
【００５７】
本発明の一実施例を、図面とともに説明する。
【００５８】
先ず、本発明の第一〜第七の実施例の図面を説明すると、図１は第一〜第六の実施例の全体を示した、圃場に高所センサと、低所第一・第二センサを設置した状態の側面模式図、図２は図１の平面図、図３は第一の実施例の動きを説明するフローチャート図、図４は第二の実施例の動きを説明するフローチャート図、図５は第三の実施例の動きを説明するフローチャート図、図６は第四の実施例の動きを説明するフローチャート図、図７は第五の実施例の動きを説明するフローチャート図、図８は第六の実施例の動きを説明するフローチャート図、図９は第七の実施例の全体を示した、圃場に低所第一・第二センサを設置した状態の側面模式図である。
【００５９】
第一の実施例において、１は圃場Ａの建柱２に設けた防霜ファンで、１００はそのファンを示している。この防霜ファン１は逆転層Ｂに設置されている。
【００６０】
そして、この例では、この圃場Ａには、作物Ｃの樹冠、葉面、又は幹等の最も、温度が下がる位置、又は凍霜害を受け易い位置（凍霜害を受け易い位置とする）に低所第一センサ５と、低所第二センサ６を設置し、この低所第二センサ６を防霜ファン１からの送風が当る所定の位置に設置する。原則として、この低所第二センサ６を利用して逆転層Ｂの暖気の生成の有無を検知する（条件を後述する）。この検知を介して、暖気を作物Ｃに送風し、この作物Ｃの防霜（凍霜害の防止）と、作物Ｃに真の旨味、食感、栄養素等を確保し、需要者の健康に役立つ有効な作物Ｃ及び／又はこの需要者が好む作物Ｃが栽培できること等に役立つ、作物Ｃに優しい送風環境（生育環境）を確保すること、又は生活・地球環境と、エネルギー（資源）環境等の環境維持に優しい送風環境（地球環境）を確保すること等を意図する。またこの低所第一・第二センサ５、６と、高所センサ３が故障した場合、又は低所第一・第二センサ５、６と、高所センサ３が誤動作をした場合でも、暖気の送風（防霜）又は送風停止（エネルギーロスの解消と、作物Ｃの生育環境・地球環境の確保等）を図る。さらに低所第一・第二センサ５、６を利用することで、逆転層Ｂに暖気がない状態や、この低所第一・第二センサ５、６の温度差、或いは低所第一センサ５及び／又は低所第二センサ６と、高所センサ３の温度差の有無を判定することで、暖気の送風又は送風停止（エネルギーロスの解消と、作物Ｃの生育条件の確保、冷害防止等）を図ることを意図する。
【００６１】
次に、第一の実施例から第七の実施例を説明する。
【００６２】
第一の実施例は、図３に示されているように、圃場Ａの所定の位置に設置した高所センサ３と低所第一センサ５との温度差、及び低所第一センサ５と低所第二センサ６の温度差とをトランアングル式に捉えて送風と、送風停止を図る構造である。
【００６３】
例えば、防霜ファン１からの送風中において（使用前の試験送風を含む。以下同じ）、
１）    高所センサ３と低所第一センサ５との間に温度差があり、高所センサ３の検出温度が低いとき（高所センサ３＜低所第一センサ５とする）
２）    低所第一センサ５と低所第二センサ６との間に温度差があり、低所第二センサ６の検出温度が低いとき（低所第一センサ５＞低所第二センサ６とする）
このような状況では、逆転層Ｂでの暖気の発生はないので、送風を停止し、作物Ｃに対する弊害（冷害）を回避し、生育環境の確保と、また無駄な送風を回避し、地球環境の確保とを図る。
【００６４】
第二の実施例は、図４に示されているように、圃場Ａの所定の位置に設置した高所センサ３と低所第一センサ５との温度差、及び低所第一センサ５と低所第二センサ６の温度差とをトランアングル式に捉えて送風と、送風停止を図る構造である。
【００６５】
例えば、防霜ファン１からの送風中において、
１）    高所センサ３と低所第一センサ５との間に温度差があり、高所センサ３の検出温度が高いとき（高所センサ３＞低所第一センサ５とする）
２）    低所第一センサ５と低所第二センサ６との間に温度差があり、低所第二センサ６の検出温度が高いとき（低所第一センサ５＜低所第二センサ６とする）
このような状況では、逆転層Ｂでの暖気の発生が考えられること、また低所第一センサ５が低温を検出していることから、送風を継続し、作物Ｃに対する弊害（凍霜害）を回避し、生育環境の確保を図る。
【００６６】
第三の実施例は、図５に示されているように、圃場Ａの所定の位置に設置した高所センサ３と低所第一センサ５との温度差、及び低所第一センサ５と低所第二センサ６の温度差とをトランアングル式に捉えて送風と、送風停止を図る構造である。
【００６７】
例えば、防霜ファン１からの送風中において、
１）    高所センサ３と低所第一センサ５との間に温度差なしのとき（高所センサ３＝低所第一センサ５とする）
２）    低所第一センサ５と低所第二センサ６との間に温度差なしのとき（低所第一センサ５＝低所第二センサ６とする）
このような状況では、圃場Ａは凍霜害の虞がないので、送風を停止し、作物Ｃに対する弊害（葉ズレ防止）の解消と、地球環境の確保を図る。
【００６８】
第四の実施例は、図６に示されているように、圃場Ａの所定の位置に設置した高所センサ３と低所第一センサ５との温度差、及び低所第一センサ５と低所第二センサ６の温度差とをトランアングル式に捉えて送風と、送風停止を図る構造である。
【００６９】
例えば、防霜ファン１からの送風中において、
１）    高所センサ３と低所第一センサ５との間に温度差なしのとき（高所センサ３＝低所第一センサ５とする）
２）    低所第一センサ５と低所第二センサ６との間に温度差があり、低所第二センサ６の検出温度が低いとき（低所第一センサ５＞低所第二センサ６とする）
このような状況では、圃場Ａは凍霜害の虞がないので、送風を停止し、作物Ｃに対する弊害（葉ズレ防止）の解消と、地球環境の確保を図るのが通常である。しかし、このように、低所第一センサ５＞低所第二センサ６となるのは、この低所第二センサ６の故障と考えられるので、その保守・管理をする。
【００７０】
第五の実施例は、図７に示されているように、圃場Ａの所定の位置に設置した高所センサ３と低所第一センサ５との温度差、及び低所第一センサ５と低所第二センサ６の温度差とをトランアングル式に捉えて送風と、送風停止を図る構造である。
【００７１】
例えば、防霜ファン１からの送風中において、
１）    高所センサ３と低所第一センサ５との間に温度差があり、低所第一センサ５の検出温度が低いとき（高所センサ３＞低所第一センサ５とする）
２）    低所第一センサ５と低所第二センサ６との間に温度差がないとき（低所第一センサ５＝低所第二センサ６とする）
このような状況では、低所第一センサ５＜低所第二センサ６であれば、防霜ファン１より暖気の送風を継続し、作物Ｃに対する弊害（凍霜害）を回避し、生育環境の確保を図る。しかし、このように、低所第一センサ５＜低所第二センサ６となるのが通常であるが、低所第一センサ５＝低所第二センサ６となるのは、この低所第二センサ６の故障と考えられるので、その保守・管理をする。この保守・管理後に、通常は、直ちに送風する（以下同じ）。
【００７２】
第六の実施例は、図８に示されているように、圃場Ａの所定の位置に設置した高所センサ３と低所第一センサ５との温度差、及び低所第一センサ５と低所第二センサ６の温度差とをトランアングル式に捉えて送風と、送風停止を図る構造である。
【００７３】
例えば、防霜ファン１の停止中において、
１）    高所センサ３と低所第一センサ５との間に温度差なしのとき（高所センサ３＝低所第一センサ５とする）
２）    低所第一センサ５と低所第二センサ６との間に温度差なしで低温のとき（低所第一センサ５＝（低温での＝）低所第二センサ６とする）
このような状況では、高所センサ３＞低所第一センサ５では、防霜ファン１より暖気の送風を継続し、作物Ｃに対する弊害（凍霜害）を回避し、生育環境の確保を図る。しかし、このように、高所センサ３＞低所第一センサ５となるのが通常であるが、高所センサ３＝低所第一センサ５となるのは、この高所センサ３の故障と考えられるので、その保守・管理をする。
【００７４】
そして、図９に示されているように、請求項８の発明は、圃場Ａの逆転層Ｂに設けた防霜ファン１と、また圃場Ａの作物Ｃの樹冠、葉面、又は幹等の最も凍霜害を受け易い位置に設置した低所第一センサ５と、さらに圃場の作物Ｃの樹冠、葉面、又は幹等の最も凍霜害を受け易い位置で、かつ防霜ファン１の送風が当る所定の位置に設置した低所第二センサ６とで構成した第七の実施例であり、この第七の実施例では、下記のような構成となる。
【００７５】
即ち、圃場Ａに設置した防霜ファン１を利用して送風中に、低所第一・第二センサ５、６で検出した温度の温度差があり、低所第二センサ６による検出温度が低いときは（低所第一センサ５＞低所第二センサ６）、圃場に設置した防霜ファン１を停止し、防霜ファン１による冷風を止め、作物Ｃの冷害を防止する構造である。そして、この第七の実施例では、本発明の目的を、簡易な送風方法で達成でき重宝すること、ランニングコストの低廉化と、センサ装置の簡便化と、保守・管理の容易化が図れる。尚、この第七の実施例は、高所センサ３を省略したことを特徴とする。そして、この第七の実施例は、地形、気候等において、充分活用の余地がある。
【００７６】
図１・２における作物Ｃは図中Ｄのサクランボであるが、これに限らない。また高所センサ３と、低所第一センサ５、低所第二センサ６は、風速センサ、降雨センサ等の他のセンサ類を併用し、より正確性と、気候・栽培条件等に対応する構成も可能である。
【００７７】
本発明が、特に有効である防霜ファン１の送風方法は、原則として、一定方向に、かつ固定した状態で送風する構造、又は送風の容量が大きい送風方法、ドラム形状の防霜ファン（図示せず）による送風方法等を挙げ得る。そして、サクランボＤの樹木等の果樹等の果実類が望ましいが、茶樹等のお茶、抹茶、紅茶等の嗜好品、みかん、イチゴ、野菜類等の作物Ｃ、農作物（総称して作物Ｃとする）にも有効である。
【図面の簡単な説明】
【００７８】
【図１】第一〜第六の実施例の全体を示した、圃場に高所センサと、低所第一・第二センサを設置した状態の側面模式図
【図２】図２は図１の平面図
【図３】図３は第一の実施例の動きを説明するフローチャート図
【図４】図４は第二の実施例の動きを説明するフローチャート図
【図５】図５は第三の実施例の動きを説明するフローチャート図
【図６】図６は第四の実施例の動きを説明するフローチャート図
【図７】図７は第五の実施例の動きを説明するフローチャート図
【図８】図８は第六の実施例の動きを説明するフローチャート図
【図９】図９は第七の実施例の全体を示した、圃場に低所第一・第二センサを設置した状態の側面模式図
【符号の説明】
【００７９】
１              防霜ファン
１００          ファン
２              建柱
３              高所センサ
５              低所第一センサ
６              低所第二センサ
Ａ              圃場
Ｂ              逆転層
Ｃ              作物
Ｄ              サクランボ
【図１】
2008131871.tif 000003
【図２】
2008131871.tif 000004
【図３】
2008131871.tif 000005
【図４】
2008131871.tif 000006
【図５】
2008131871.tif 000007
【図６】
2008131871.tif 000008
【図７】
2008131871.tif 000009
【図８】
2008131871.tif 000010
【図９】
2008131871.tif 000011